(57)【要約】【課題】給紙装置から送り出される枚葉紙にエア溜まりが生じないようにする。【解決手段】フィーダーパイルボード（３）上の枚葉紙（ｐ）の山（Ｐ）における枚葉紙（ｐ）の送り出し側の近傍にフィーディングローラ（８）が設けられた枚葉印刷機の給紙装置において、枚葉紙の山の送り出し側とフィーディングローラとの間に、枚葉紙の通過を案内するガイド板（１２）が設けられ、このガイド板（１２）によって案内される上下二枚の枚葉紙間からエアを排除するエア抜き孔（１２ａ）がこのガイド板（１２）に形成される。【選択図】図３
2014069905.tif 000002
【特許請求の範囲】
【請求項１】
フィーダーパイルボード上の枚葉紙の山における枚葉紙の送り出し側の近傍にフィーディングローラが設けられた枚葉印刷機の給紙装置において、上記枚葉紙の山の送り出し側とフィーディングローラとの間に、枚葉紙の通過を案内するガイド板が設けられ、このガイド板によって案内される上下二枚の枚葉紙間からエアを排除するエア抜き孔がこのガイド板に形成されたことを特徴とする枚葉印刷機の給紙装置。
【請求項２】
請求項１に記載の枚葉印刷機の給紙装置において、上記ガイド板の下側に、エア抜き孔を通してエアを吸引するマニフォルダが取り付けられたことを特徴とする枚葉印刷機の給紙装置。
【発明の詳細な説明】
【技術分野】
【０００１】
本発明は、枚葉印刷機の給紙装置に関する。
【背景技術】
【０００２】
図５に示すように、枚葉印刷機の給紙装置は、そのフレーム１内にチェーン２により吊り下げられたフィーダーパイルボード３を有する。フィーダーパイルボード３上には、多数の枚葉紙ｐが山状に積み上げられている。
【０００３】
また、フレーム１内における枚葉紙ｐの山Ｐの頂の近傍には、図５に示すように、最上層の枚葉紙ｐから順にフィーダーボード４側へ送り出す送り出し部５が設けられる。送り出し部５は、枚葉紙ｐの山Ｐの上側に配置された第一及び第二のサッカー６ａ，６ｂと、枚葉紙ｐの送り出し側と反対側に配置された第一及び第二のエアノズル７ａ，７ｂとを具備する。
【０００４】
最上層の枚葉紙ｐを送り出すに際して、まず、第一のサッカー６ａが上下方向に一往復動して最上層の枚葉紙ｐを持ち上げる。その時第一と第二のエアノズル７ａ，７ｂからエアを枚葉紙ｐの山Ｐにおける送り出し側と反対側に吹き付けて、最上層の枚葉紙ｐを持ち上げやすくする。第一のサッカー６ａが最上層の枚葉紙ｐを持ち上げると、第二のサッカー６ｂが第一のサッカー６ａから枚葉紙ｐを受け取って枚葉紙ｐの山Ｐからフィーダーボード４側へ送り出す。
【０００５】
送り出し部５によって枚葉紙ｐの山Ｐから枚葉紙ｐが順に送り出されると、枚葉紙ｐの山Ｐが低くなるが、その都度上記チェーン２が巻き上げられて枚葉紙ｐの最上層の位置が常時一定の高さに保持される。
【０００６】
図５及び図６に示すように、フレーム１における枚葉紙ｐの山Ｐの送出し側と図示しない印刷部との間には、フィーダーボード４が配置される。フィーダーボード４の上流側には二本のシャフト８ａ，９ａが配置され、下流側には一本のシャフト９ｂが配置される。
【０００７】
上流側の二本のシャフト８ａ，９ａのうち枚葉紙ｐの山Ｐ側のシャフト８ａには、丸棒状のフィーディングローラ８が設けられる。このフィーディングローラ８には、枚葉紙ｐを挟み込むために、その上側からコロ状の押えローラ１０が接する。
【０００８】
また、フィーダーボード４の上流側の他のシャフト９ａと下流側のシャフト９ｂとの間には、テンションローラ等を介して無端ベルト９が複数本巻回される。無端ベルト９の上側走行部はフィーダーボード４の上面側を通り、下側走行部はフィーダーボード４の下面側を通る。両シャフト９ａ，９ｂの回転により、無端ベルト９の上側走行部はフィーダーボード４の上流側から下流側へと走行可能である。無端ベルト９の上側走行部にはその上側から遊びローラ１１が接する。
【０００９】
上記第二のサッカー６ｂにより送り出された枚葉紙ｐは、図７（Ａ）に示すように、フィーディングローラ８と押えローラ１０との間に引き込まれ、続いて無端ベルト９と遊びローラ１１との間に引き込まれつつフィーダーボード４上から印刷部へと搬送され、印刷に供される。
【００１０】
ところが、給紙装置によって枚葉紙ｐを印刷部へ送り出す際、上述のごとく第一及び第二のエアノズル７ａ，７ｂからエアを吹き付けるようにすると、図７（Ｂ）に示すように、このエアが最上層の枚葉紙ｐと次の枚葉紙ｐとの間に入り込み、フィーディングローラ８の手前でエア溜まりｑを生じさせる場合がある。このようなエア溜まりｑが発生すると、図６に示すように、枚葉紙ｐの前端が傾いた状態でフィーディングローラ８と押えローラ１０との間に引き込まれたり、或いは折れ曲がった状態で引き込まれたりする。このような給紙不良が発生すると、印刷部へも枚葉紙ｐの前端が傾いたり、折れ曲がったりした状態で給紙されることになるので、印刷不良の原因となる。
【００１１】
従来、このような給紙不良を防止するため、フィーディングローラ８とフィーダーボード４との間に多数の孔の開いた案内板を設けることにより、この案内板上でエア溜まりのエアを逃すようにし、できるだけ図７（Ａ）に示すような給紙状態となるようにしている（例えば、特許文献１参照）。
【先行技術文献】
【特許文献】
【００１２】
【特許文献１】特開平９−３０１５６４号公報
【発明の概要】
【発明が解決しようとする課題】
【００１３】
しかしながら、従来のようにフィーディングローラ８とフィーダーボード４との間で案内板の孔からエア溜まりのエアを抜くようにした場合、エアを抜くときは既に枚葉紙ｐの前端が傾いたままでフィーディングローラ８に到達しているので、エアを抜いても枚葉紙ｐはねじれたまま印刷部に供給されてしまうという問題がある。
【００１４】
また、枚葉紙ｐを、案内板の上を通過させるのみではエア抜きが不十分であり、枚葉紙のねじれを解消し難いという問題がある。
【００１５】
したがって、本発明は上記問題点を解決することができる枚葉印刷機の給紙装置を提供することを目的とする。
【課題を解決するための手段】
【００１６】
上記課題を解決するため、本発明は次のような構成を採用する。
【００１７】
なお、本発明の理解を容易にするため括弧付きの符号を付すが、本発明はこれに限定されるものではない。
【００１８】
すなわち、請求項１に係る発明は、フィーダーパイルボード（３）上の枚葉紙（ｐ）の山（Ｐ）における枚葉紙（ｐ）の送り出し側の近傍にフィーディングローラ（８）が設けられた枚葉印刷機の給紙装置において、上記枚葉紙（ｐ）の山（Ｐ）の送り出し側とフィーディングローラ（８）との間に、枚葉紙（ｐ）の通過を案内するガイド板（１２）が設けられ、このガイド板（１２）によって案内される上下二枚の枚葉紙（ｐ，ｐ）間からエアを排除するエア抜き孔（１２ａ）がこのガイド板（１２）に形成された枚葉印刷機の給紙装置を採用する。
【００１９】
請求項２に係る発明は、請求項１に記載の枚葉印刷機の給紙装置において、上記ガイド板（１２）の下側に、エア抜き孔（１２ａ）を通してエアを吸引するマニフォルダ（１３）が取り付けられたものとすることができる。
【発明の効果】
【００２０】
本発明によれば、フィーディングローラ（８）に枚葉紙（ｐ）が到達する以前にエア溜まり（ｑ）となるおそれのあるエアを枚葉紙（ｐ，ｐ）間から排除することができる。これにより、枚葉紙（ｐ）はその前端がフィーディングローラ（８）に正対した状態でフィーディングローラ（８）へと送られ、従って、枚葉紙（ｐ）は印刷部へも同様な姿勢を保ったままで入り込むことになる。これにより、枚葉紙（ｐ）は給紙不良に起因する印刷不良を生じることなく、適正な印刷に供されることとなる。
【図面の簡単な説明】
【００２１】
【図１】本発明に係る枚葉印刷機の給紙装置の正面図である。
【図２】フィーダーボード回りの平面図である。
【図３】図１中、要部の拡大図である。
【図４】要部の変形例の拡大図である。
【図５】従来の給紙装置の正面図である。
【図６】従来のフィーダーボード回りの平面図である。
【図７】（Ａ）は枚葉紙が適正な状態でフィーディングローラに送られる状態を示す図、（Ｂ）は枚葉紙が不適切な状態でフィーディングローラに送られる状態を示す図である。
【発明を実施するための形態】
【００２２】
以下、図面を参照して本発明を実施するための形態について説明する。
【００２３】
図１及び図２に示すように、枚葉印刷機の給紙装置は、従来におけると同様、フレーム１内にチェーン２により吊り下げられたフィーダーパイルボード３、フィーダーパイルボード３上に山状に積み上げられた枚葉紙ｐ、枚葉紙ｐの山Ｐの最上層のものから順にフィーダーボード４側へ送り出す送り出し部５を有する。
【００２４】
送り出し部５は、第一及び第二のサッカー６ａ，６ｂと、第一及び第二のエアノズル７ａ，７ｂとを具備する。
【００２５】
また、フレーム１における枚葉紙ｐの山Ｐの送出し側と図示しない印刷部との間には、従来におけると同様、フィーダーボード４が配置される。
【００２６】
フィーダーボード４の上流側にはフィーディングローラ８が設けられ、このフィーディングローラ８に、その上側から押えローラ１０が接する。
【００２７】
また、フィーダーボード４には、無端ベルト９が複数本巻回され、無端ベルト９の上側走行部にはその上側から遊びローラ１１が接する。
【００２８】
上述したように、給紙装置によって枚葉紙ｐを印刷部へ送り出す際、第一及び第二のエアノズル７ａ，７ｂからエアを枚葉紙ｐの積層体に側面から吹き付けるようにすると、図７（Ｂ）に示したように、このエアが最上層の枚葉紙ｐと後続の枚葉紙ｐとの間に入り込み、フィーディングローラ８の近傍でエア溜まりｑを生じさせる場合があり、このようなエア溜まりｑが発生すると、図６にｐ示したように、枚葉紙ｐの前端が傾いた状態でフィーディングローラ８と押えローラ１０との間に引き込まれたり、或いは折れ曲がった状態で引き込まれたりする。このような給紙不良は直ちに印刷不良を引き起こす。
【００２９】
そこで、このような給紙不良を防止するため、この実施の形態では、図１乃至図３に示すように、フィーダーパイルボード３上における枚葉紙ｐの山Ｐの送り出し側とフィーディングローラ８との間に、枚葉紙ｐの通過を案内するガイド板１２が設けられ、このガイド板１２には多数のエア抜き孔１２ａが形成される。
【００３０】
これにより、ガイド板１２の上を通過する上下二枚の枚葉紙ｐ，ｐ間からエアが排除され、図７（Ｂ）に示したエア溜まりｑの発生が防止され、その結果図７（Ａ）に示した適正な給紙状態が常に維持されることとなる。
【００３１】
上記エア溜まりｑの発生をより的確に防止するべく、必要に応じて図４に示すように、ガイド板１２の下側に、エア抜き孔１２ａを通してエアを吸引するマニフォルダ１３が取り付けられる。マニフォルダ１３には、エアを上下二枚の枚葉紙ｐ，ｐの間から強制的に排除するファン１４が接続される。ファン１４に代えてブロア、真空ポンプ等他の吸引手段を接続してもよい。
【００３２】
次に、上記枚葉印刷機の給紙装置の作用について説明する。
【００３３】
図１に示すように、給紙装置のフレーム１内におけるチェーン２により吊り下げられたフィーダーパイルボード３上に、多数の枚葉紙ｐが山状に積み上げられている。
【００３４】
最上層の枚葉紙ｐをフィーダーボード４側に送り出すに際し、まず、第一のサッカー６ａが上下方向に一往復動して最上層の枚葉紙ｐを持ち上げる。
【００３５】
その際、第一及び第二のエアノズル７ａ，７ｂからエアが枚葉紙ｐの山Ｐにおける送り出し側と反対側の積層面に吹き付けられる。これにより、第一のサッカー６ａによる最上層の枚葉紙ｐの持ち上げが、より確実に行われる。
【００３６】
第一のサッカー６ａにより最上層の枚葉紙ｐが持ち上げられると、この枚葉紙ｐが第二のサッカー６ｂによって第一のサッカー６ａから受け取られ、第二のサッカー６ｂによって枚葉紙ｐの山Ｐの上からフィーダーボード４側へと送り出される。
【００３７】
枚葉紙ｐは第一のサッカー６ａ等によって、進行方向に多少ずれた状態で重なり合いつつ順にフィーダーボード４側へ送り出される。
【００３８】
枚葉紙ｐが送り出されることによって枚葉紙ｐの山Ｐが低くなるが、その都度上記チェーン２が巻き上げられて枚葉紙ｐの最上層の位置が常時一定の高さに保持される。
【００３９】
第二のサッカー６ｂにより送り出された枚葉紙ｐは、図３及び図７（Ａ）に示すように、フィーディングローラ８と押えローラ１０との間に引き込まれ、さらに無端ベルト９と遊びローラ１１との間に引き込まれつつフィーダーボード４上を印刷部へと搬送され、印刷に供される。
【００４０】
この枚葉紙ｐがフィーディングローラ８と押えローラ１０との間に引き込まれる際、重なり合った枚葉紙ｐ，ｐ間には第一及び第二のエアノズル７ａ，７ｂから噴き出たエアが入り込んでいるが、このエアはフィーディングローラ８の近傍でエア溜まりｑを生じさせることなく、図３に示すようにガイド板１２のエア抜き孔１２ａを通って枚葉紙ｐ，ｐ間から離脱する。
【００４１】
このため、枚葉紙ｐは図２に示すように、その前端がフィーディングローラ８及び押えローラ１０の接点に正対した状態でフィーディングローラ８と押えローラ１０との間に引き込まれる。従って、枚葉紙ｐはフィーダーボード４上でも枚葉紙ｐの山Ｐの上に在った時と同じ適正な姿勢で走行し、印刷部へも同様な姿勢を保ったままで入り込む。その結果、枚葉紙ｐは給紙不良に起因する印刷不良を生じることなく、適正な印刷が行われることとなる。
【００４２】
なお、図４に示すようにマニフォルド１３を通して上記エアを強制的に排気するようにした場合は、エア抜きがさらに確実に行われ、給紙不良がより的確に防止される。
【符号の説明】
【００４３】
３…フィーダーパイルボード
８…フィーディングローラ
１２…ガイド板
１２ａ…エア抜き孔
１３…マニフォルダ
ｐ…枚葉紙
Ｐ…枚葉紙の山
【図１】
2014069905.tif 000003
【図２】
2014069905.tif 000004
【図３】
2014069905.tif 000005
【図４】
2014069905.tif 000006
【図５】
2014069905.tif 000007
【図６】
2014069905.tif 000008
【図７】
2014069905.tif 000009